(57)【要約】【課題】暖房運転中の暖房用循環経路内の圧力上昇を抑え、より安全な浴室暖房乾燥装置を提供する。【解決手段】浴槽追炊き用の循環経路と暖房端末機６を経由する暖房用の循環経路とに切り替える切替機構に流路切換弁２３と循環水タンク２５を設け、循環水タンク２５の上方側に暖房端末機６からの暖房戻管２０、下方側に追炊き用の循環経路の戻管１６、循環水タンク２５の上方側から浴槽の循環口から閉止弁２４を介して循環水タンク２５へと戻る浴槽戻管１８をそれぞれ挿入接続する構成とし、暖房運転開始時は閉止弁２４を開状態として循環水タンク２５の水を浴槽戻管１８から浴槽に排水して循環水タンク２５内上方に空気層を形成し、暖房用循環経路が水で満たされると閉止弁２４を閉じて暖房運転し、暖房運転中の湯温の上昇による配管内圧力上昇時に循環水タンク２５内上方の空気層が収縮して圧力上昇を抑える。【選択図】  図２
2004309058.tif 000002
【特許請求の範囲】
【請求項１】
追焚き用燃焼部、浴槽水を強制循環させる追焚き用ポンプを備える給湯付風呂釜と浴槽とを接続する往管と戻管とからなる追炊き用の循環経路の途中に、追炊き用の循環経路と浴室に設けた暖房端末機を経由する暖房用の循環経路とに切り替える切替機構を備え、上記暖房用の密閉された循環経路に、この循環経路内の圧力上昇を低減する機構を設けてなる浴室暖房乾燥装置。
【請求項２】
切替機構に流路切換弁と循環水タンクを備え、循環水タンクの上方側に暖房端末機からの暖房戻管と下方側に追炊き用の循環経路の戻管、及び循環水タンクの上方側から、浴槽の循環口から閉止弁を介して循環水タンクへと戻る浴槽戻管が挿入接続され、暖房運転開始時に、前記閉止弁を開状態として循環水タンク内の水を浴槽戻管から浴槽側に排水し循環水タンク内上方に空気層を形成して、暖房運転中の密閉された循環経路内の圧力上昇を低減する請求項１記載の浴室暖房乾燥装置。
【請求項３】
給湯付風呂釜が、給排気口を屋外に位置し配管類の接続部が浴室内の壁面側に配置される壁貫通設置型である請求項１〜請求項３のいずれかに記載の浴室暖房乾燥装置。
【発明の詳細な説明】
【０００１】
【発明の属する技術分野】
本発明は、主として家庭用の浴室暖房装置に関する。
【０００２】
【従来の技術】
浴室における温水式の暖房及び乾燥装置として、一般に図３（ａ）に示すように、浴室３の天井面などに暖房端末機６を設置し、この暖房端末機６と屋外に設置され給湯付風呂釜に暖房用燃焼部２６を備える複合機３０とを暖房往管１９と暖房戻管２０とからなる暖房用の循環経路で配管接続し、暖房端末機６には暖房用燃焼部２６に接続した暖房用熱交換器８と、この暖房用熱交換器８で空気を加熱して温風を発生させるための電気で駆動する送風機構７（図示省略）を備えるようにしたものが知られている（例えば、特許文献１参照）。
【０００３】
上記の暖房乾燥装置は、リモコン２１（図示省略）などのスイッチ操作により暖房、乾燥の指令が出されると複合機３０に内蔵されたポンプにより循環水タンク２５の水が暖房用燃焼部２６を通り加熱されて温水として暖房端末機６に送られ、暖房端末機６では温水が暖房端末機６内の暖房用熱交換器８に供給されるとともに送風機が駆動して暖房用熱交換器８に空気を供給することにより、送風機からの空気は温水で昇温され浴室３内に放出して浴室３の暖房、乾燥を行う。
【０００４】
一方、暖房端末機６の暖房用熱交換器８で熱を奪われた温水は水となって暖房用の循環配管における暖房戻管２０を経由して循環水タンク２５に戻る。
また、循環水タンク２５には水が不足した場合に水を供給できる機構が設けられており、さらに、図３（ｂ）に示すように循環水タンク２５に接続したドレイン管２８の他端側は浴槽１の循環口９に接続され（図示省略）、循環水タンク２５はタンク内の水位が多くなったとき、循環水タンク２５に接続したドレイン管２８を介して循環口９から浴槽１側に排水されるように、ドレイン管２８の循環口９接続側は大気開放状態となっている。
【０００５】
【特許文献１】
特開平１０−１５３３４５号公報（第４−５頁、図１）
【０００６】
しかし、従来の技術で述べた浴室暖房乾燥装置は、循環水タンク内の水位が多くなったときにドレイン管を介して浴槽側に排水される構成であり、暖房運転中に高温の湯が浴槽へ排水されて、使用者に不快感を与えるなどの問題を有していた。
【０００７】
【発明が解決しようとする課題】
本発明は、暖房運転中における暖房用循環経路内の圧力上昇を抑えて、より安全な浴室暖房乾燥装置を提供しようとするものである。
【０００８】
【課題を解決するための手段】
本発明は、次のものに関する。
（１）追焚き用燃焼部、浴槽水を強制循環させる追焚き用ポンプを備える給湯付風呂釜と浴槽とを接続する往管と戻管とからなる追炊き用の循環経路の途中に、追炊き用の循環経路と浴室に設けた暖房端末機を経由する暖房用の循環経路とに切り替える切替機構を備え、上記暖房用の密閉された循環経路に、この循環経路内の圧力上昇を低減する機構を設けてなる浴室暖房乾燥装置。
（２）切替機構に流路切換弁と循環水タンクを備え、循環水タンクの上方側に暖房端末機からの暖房戻管と下方側に追炊き用の循環経路の戻管、及び循環水タンクの上方側から、浴槽の循環口から閉止弁を介して循環水タンクへと戻る浴槽戻管が挿入接続され、暖房運転開始時に、前記閉止弁を開状態として循環水タンク内の水を浴槽戻管から浴槽側に排水し循環水タンク内上方に空気層を形成して、暖房運転中の密閉された循環経路内の圧力上昇を低減する上記（１）記載の浴室暖房乾燥装置。
（３）給湯付風呂釜が、給排気口を屋外に位置し配管類の接続部が浴室内の壁面側に配置される壁貫通設置型である上記（１）又は（２）記載の浴室暖房乾燥装置。
【０００９】
【発明の実施の形態】
給湯付風呂釜の風呂釜本体には、ファン、給湯バーナ（給湯用燃焼部）及び風呂バーナ（追焚き用燃焼部）、浴槽水を強制循環させる追焚き用ポンプ、給湯用熱交換器及び、追焚用熱交換器が設けられ、この風呂釜本体は浴室内又は浴室外に配設される。
風呂釜本体に位置される配管接続部としての往湯口及び戻湯口と浴室に設置される浴槽の循環口とを、往管と戻管からなる循環路（循環配管）で接続して、風呂釜本体と浴槽との間を湯水が循環できるようにする。
なお、本発明の浴室暖房乾燥装置に用いる給湯付風呂釜としては、浴槽への湯張りのための給湯用燃焼部及び追焚のための追焚用燃焼部を備える構造の給湯付風呂釜、あるいは、浴槽の湯張りのための給湯用燃焼部及び追焚用燃焼部を備えるとともに、浴室外壁の給排気口用の方形穴に浴室内側から嵌め込んで浴室壁面に固定して本体部分を屋外に突き出し、湯、水、ガス等の配管接続部が浴室内の壁面側に配置される構造の壁貫通設置型（外壁貫通設置型）の給湯付風呂釜のいずれでも使用できるが、施工からメンテナンスに至る作業の簡素化，配管経路の短縮による浴室暖房中の熱損出を少なくする上で、好ましくは、後者の配管接続部が浴室内に位置する構造の壁貫通設置型の給湯付風呂釜が使用される。
【００１０】
浴室を暖房乾燥するための暖房端末機には、暖房用熱交換器及び送風機構等が内蔵されており、この暖房端末機を浴室の天井部、壁面部、又は浴室に設置される浴槽のエプロン部の内側等の適宜の位置に配設される。
【００１１】
給湯付風呂釜の風呂釜本体に位置される配管接続部としての往湯口及び戻湯口と、浴室に設置される浴槽の循環口とを往管と戻管とからなる循環経路（循環配管）で接続して、風呂釜本体と浴槽との間を湯水が循環し追焚できるようにする。
また、給湯付風呂釜から暖房端末機を介して循環する経路が必要であり、循環経路の途中に、追炊き用の循環経路と浴室に設けた暖房端末機を経由する暖房用の循環経路とを切り替える切替機構を接続する。
この循環経路の途中に設けられる切替機構には、流路切替弁（三方弁）、閉止弁及び循環水タンクが備えられる。
上記の循環水タンクには、給湯付風呂釜からの温水が流路切替弁（三方弁）、暖房端末機を介して循環水タンクに流れる暖房往管、循環水タンクから給湯付風呂釜へ戻る戻管、及び浴槽の循環口から上記の閉止弁を介し循環水タンクへ戻る浴槽戻管の少なくとも３本のパイプが接続され、浴槽の循環口から閉支弁を介し循環水タンクへ戻る浴槽戻管は、循環水タンクの上方側からパイプを挿入した構造として接続する。
【００１２】
【作用】
暖房運転のスイッチを入れたとき、暖房用の循環経路に水を注水するために、流路切替弁（三方弁）により給湯付風呂釜本体の往湯口から暖房端末機を介して循環水タンクへ水が送られ、また、給湯付風呂釜本体の戻湯口からも循環水タンクへ水が送られ循環水タンク内に水を貯める。このとき、浴槽の循環口へ接続されている閉止弁を開いておき、浴槽側を大気開放状態とすることで循環水タンク内の水は、循環水タンクに上方側から挿入された浴槽戻管から閉止弁を介し浴槽へ排水されるため、浴槽戻管先端より上に循環水タンク内の水位が上がることが無く、循環水タンク内上方には空気層が確保される。暖房用の循環経路が水で満たされると閉止弁が閉じ、給湯付風呂釜本体内の追焚き用ポンプを運転させ、水は追焚用熱交換器で加温されて湯として暖房用の循環経路内を循環する。
そして、上記の暖房用の循環経路は密閉経路となっているため、暖房運転中に湯温が上がると配管内の圧力は上昇してくるが、循環水タンク内の上方に形成された空気層が圧力上昇時に収縮しダンパの役割をすることで、配管内の圧力上昇を低減する。
【００１３】
【実施例】
以下、本発明の実施例を図１及び図２を参照して具体的に説明する。
図１（ａ）は本発明に係る浴室暖房乾燥装置の一実施例を示す概略構成図、図１（ｂ）は図１（ａ）に示した浴室暖房乾燥装置の要素構成図、図２（ａ）及び図２（ｂ）はそれぞれ本発明に係る浴室暖房乾燥装置の循環水タンク部分の要素構成説明図である。
【００１４】
図１（ａ）において、浴室暖房乾燥装置は、浴室入口４、洗場床５を備えた浴室３内に設置された浴槽１と、浴槽１の上縁面１ａの外側端から垂下するエプロン部２と浴槽１との間に位置して設けた暖房端末機６と、追焚き用燃焼部１１、追焚き用ポンプ１２及び給湯用燃焼部１３等を内蔵して屋外に設置された給湯付風呂釜１０からなり、給湯付風呂釜１０と浴槽１とは、浴槽１の循環口９に往管１５と戻管１６とからなる循環経路（追焚配管）を介して連通され、浴槽１内の温水を給湯付風呂釜１０の追焚き用ポンプ１２の駆動により戻管１６を介して吸引し給湯付風呂釜１０の追焚き用燃焼部１１で加熱し往管１５を介して浴槽１に戻して追焚する構成とする。
この追炊き用の配管途中に、給湯付風呂釜１０本体からの湯が浴室３に設けられた暖房端末機６を介して循環する暖房用の循環経路と、浴槽１を介して循環する追焚き用の循環経路とに切り替えることができる切替機構１４を接続する。
【００１５】
切替機構１４は、図１（ｂ）に示すように、三方弁からなる流路切替弁２３、閉止弁２４、及び循環水タンク２５を備え、給湯付風呂釜１０本体の往湯口から流路切替弁２３に往管１５、流路切替弁２３から暖房端末機６内の暖房用熱交換器８に暖房往管１９、暖房用熱交換器８から循環水タンク２５に暖房戻管２０、循環水タンク２５から給湯付風呂釜１０内の追焚き用ポンプ１２へ戻管１６を接続し、循環水タンク２５を介して湯が暖房循環できるように接続する。
また、流路切替弁２３から浴槽１に設置された循環口９に浴槽往管１７、循環口９から切替機構１４内の閉止弁２４を介し循環水タンク２５に浴槽戻管１８を接続し、循環水タンク２５を介して湯が追焚き循環できるように接続し、切替機構１４により暖房用の循環経路と追焚き用の循環経路を切り替えることができるようになっている。
【００１６】
切替機構１４内の循環水タンク２５には、暖房用熱交換器８からの暖房戻管２０、循環水タンク２５から給湯付風呂釜１０内の追焚き用ポンプ１２への戻管１６、及び浴槽１の循環口９から閉止弁２４を介した浴槽戻管１８の３本が接続してある。暖房戻管２０、浴槽戻管１８は循環水タンク２５の上方からパイプを挿入するように接続し、戻管１６は循環水タンク２５の下方に接続する。
【００１７】
次に、暖房運転について図２（ａ）及び図２（ｂ）を用いて説明すると、給湯付風呂釜１０のリモコン２１（図１（ｂ）参照）で暖房のスイッチ操作を行うと、切替機構１４が暖房端末機６を経由する方向に切替わり、閉止弁２４が開状態となる。図２（ａ）に示すように給湯付風呂釜１０本体の往湯口から暖房端末機６を介して湯が循環水タンク２５へ注湯、また戻湯口から湯が循環水タンク２５へ注湯される。図２（ｂ）に示すように循環水タンク２５内の水位が浴槽戻管１８の吸込み口の高さになると、閉止弁２４が開状態で大気開放になっているため浴槽１に閉止弁２４を介し湯が排水され、循環水タンク２５内の水位は浴槽戻管１８の吸込み口と同じ高さになり、循環水タンク２５内の上方には空気層ができる。
【００１８】
暖房用の循環経路内が湯で満水になると、切替機構１４内の閉止弁２４は閉となり給湯付風呂釜１０の追焚き用ポンプ１２が駆動し、循環水タンク２５の温水が吸引され追焚き用燃焼部１１で加熱された後、暖房往管１９を通り暖房端末機６へと流入する。暖房端末機６では、送風機構７が駆動し、暖房用熱交換器８を通る温水で送風機構７から送られた空気を加熱して、浴室３の下方に放出して浴室を暖房する。
暖房用熱交換器８で熱交換された温水は、暖房戻管２０を通り、循環水タンク２５へ戻され暖房運転を行う。暖房用の循環経路は閉回路であるため、暖房運転中に温水の湯温が高くなると、暖房用の循環経路内の圧力は上昇してくる。このとき、循環水タンク２５内の空気層が収縮、ダンパの役割をすることで暖房用の循環経路内の圧力上昇が抑えられる。
【００１９】
【発明の効果】
本発明によれば、暖房用の密閉された循環経路に、この循環経路内の圧力上昇を低減する機構を設ける構成としており、暖房運転中における暖房用循環経路内の圧力上昇が抑えられ、暖房運転中に高温の湯が浴槽に排水されることがないためより安全となる。
【図面の簡単な説明】
【図１】（ａ）は本発明による浴室暖房乾燥装置の一実施例を示す概略全体構成図、（ｂ）は（ａ）に示した浴室暖房乾燥装置の要素構成図である。
【図２】（ａ）及び（ｂ）はそれぞれ本発明に係る浴室暖房乾燥装置の循環水タンク部分の要素構成説明図である。
【図３】（ａ）は従来例による浴室暖房乾燥装置の概略構成図、（ｂ）は（ａ）に示した浴室暖房乾燥装置の要素構成図である。
【符号の説明】
１  浴槽                            １ａ  上縁面
２  エプロン部                        ３  浴室
４  浴室入口                          ５  洗場床
６  暖房端末機                        ７  送風機構
８  暖房用熱交換器                    ９  循環口
１０  給湯付風呂釜                    １１  追焚き用燃焼部
１２  追焚き用ポンプ                  １３  給湯用燃焼部
１４  切替機構                        １５  往管
１６  戻管                            １７  浴槽往管
１８  浴槽戻管                        １９  暖房往管
２０  暖房戻管                        ２１  リモコン
２２  コントロール基板                ２３  流路切替弁（三方弁）
２４  閉止弁                          ２５  循環水タンク
２６  暖房用燃焼部                    ２７  循環ポンプ
２８  ドレイン管                      ３０  複合機
【図１】
2004309058.tif 000003
【図２】
2004309058.tif 000004
【図３】
2004309058.tif 000005